(57)【要約】【課題】効率良く指針へ光を導くことができると共に、組付けを容易にすることができるようにする。【解決手段】表面に指針回動領域を有する文字板２と、文字板２に形成された指針軸孔３に貫通配置される指針軸４と、指針軸４の先端にその基部５を取付けられて指針回動領域を回動する指針６と、指針６の基部５を覆う指針キャップ７と、文字板２の裏面側に配設されて、光源８からの光を指針軸孔３へ導き指針６を照明させる導光板９と、指針軸孔３の周縁部に配置されて、導光板９を出射して指針６の基部５へ入射される光の漏れを防止する光漏防止用リング部材１０とを備えた計器装置１であって、光漏防止用リング部材１０が文字板２のみに係止可能な係止部２１を有するようにしている。【選択図】        図１
2004226248.tif 000002
【特許請求の範囲】
【請求項１】
表面に指針回動領域を有する文字板と、該文字板に形成された指針軸孔に貫通配置される指針軸と、該指針軸の先端にその基部を取付けられて指針回動領域を回動する指針と、該指針の基部を覆う指針キャップと、文字板の裏面側に配設されて、光源からの光を指針軸孔へ導き指針を照明させる導光板と、指針軸孔の周縁部に配置されて、導光板を出射して指針の基部へ入射される光の漏れを防止する光漏防止用リング部材とを備えた計器装置において、
前記光漏防止用リング部材が文字板のみに係止可能な係止部を有することを特徴とする計器装置。
【請求項２】
前記導光板が、光漏防止用リング部材の前記係止部よりも指針軸孔の内側へ延びる投光部を有すると共に、該投光部が前記係止部に対して文字板の面方向に離隔され、且つ、前記導光板が前記係止部から指針軸孔の径方向に離れた位置に文字板に対する支持部を有することを特徴とする請求項１記載の計器装置。
【発明の詳細な説明】
【０００１】
【発明の属する技術分野】
この発明は、計器装置に関するものである。
【０００２】
【従来の技術】
自動車などの車両では、車室内の前部に計器装置が設けられている。
【０００３】
この計器装置は、表面に指針回動領域を有する文字板と、該文字板に形成された指針軸孔に貫通配置される指針軸と、該指針軸の先端にその基部を取付けられて指針回動領域を回動する指針と、該指針の基部を覆う指針キャップと、文字板の裏面側に配設されて、光源からの光を指針軸孔へ導き指針を照明させる導光板と、指針軸孔の周縁部に配置されて、導光板を出射して指針の基部へ入射される光の漏れを防止する光漏防止用リング部材とを備えている。
【０００４】
そして、従来の計器装置では、光漏防止用リング部材を文字板と導光板の両者に対して係止させるようにしていた（例えば、特許文献１参照）。
【０００５】
【特許文献１】
特開２０００−１９３４９７号公報
【０００６】
【発明が解決しようとする課題】
しかしながら、上記特許文献１に記載された計器装置では、光漏防止用リング部材を文字板と導光板の両者に対して係止させるようにしていたので、導光板内を導かれる光を光漏防止用リング部材の係止部が遮ってしまうこととなり、効率良く指針へ光を導くことができなかった。また、光漏防止用リング部材を文字板と導光板の両者に対して係止させるようにしていたので、光漏防止用リング部材の組付けに手間が掛っていた。
【０００７】
そこで、本発明の目的は、上記の問題点を解消し、効率良く指針へ光を導くことができると共に、組付けを容易にすることができる計器装置を提供することにある。
【０００８】
【課題を解決するための手段】
上記課題を解決するために、請求項１に記載された発明では、表面に指針回動領域を有する文字板と、該文字板に形成された指針軸孔に貫通配置される指針軸と、該指針軸の先端にその基部を取付けられて指針回動領域を回動する指針と、該指針の基部を覆う指針キャップと、文字板の裏面側に配設されて、光源からの光を指針軸孔へ導き指針を照明させる導光板と、指針軸孔の周縁部に配置されて、導光板を出射して指針の基部へ入射される光の漏れを防止する光漏防止用リング部材とを備えた計器装置において、前記光漏防止用リング部材が文字板のみに係止可能な係止部を有する計器装置を特徴としている。
【０００９】
このように構成された請求項１にかかる発明によれば、前記光漏防止用リング部材が文字板のみに係止可能な係止部を有することにより、導光板内を導かれる光を光漏防止用リング部材の係止部が遮ってしまうことがないので、効率良く指針へ光を導くことができると共に、組付けを容易にすることができる。
【００１０】
請求項２に記載された発明では、前記導光板が、光漏防止用リング部材の前記係止部よりも指針軸孔の内側へ延びる投光部を有すると共に、該投光部が前記係止部に対して文字板の面方向に離隔され、且つ、前記導光板が前記係止部から指針軸孔の径方向に離れた位置に文字板に対する支持部を有する請求項１記載の計器装置を特徴としている。
【００１１】
このように構成された請求項２にかかる発明によれば、前記導光板が、光漏防止用リング部材の前記係止部よりも指針軸孔の内側へ延びる投光部を有すると共に、該投光部が前記係止部に対して文字板の面方向に離隔され、且つ、前記導光板が前記係止部から指針軸孔の径方向に離れた位置に文字板に対する支持部を有することにより、上記請求項１の効果を発揮する構成を得ることができる。
【００１２】
【発明の実施の形態】
以下、本発明を具体化した実施の形態について、図示例と共に説明する。
【００１３】
図１〜図３は、この発明の実施の形態を示すものである。
【００１４】
まず、構成を説明すると、自動車などの車両における車室内の前部に設けられた計器装置１は、表面に指針回動領域を有する文字板２と、この文字板２に形成された指針軸孔３に貫通配置される指針軸４と、この指針軸４の先端にその基部５を取付けられて指針回動領域を回動する指針６と、指針６の基部５を覆う指針キャップ７と、文字板２の裏面側に配設されて、光源８からの光を指針軸孔３へ導き指針６を照明させる導光板９と、指針軸孔３の周縁部に配置されて、導光板９を出射して指針６の基部５へ入射される光の漏れを防止する光漏防止用リング部材１０とを備えている。
【００１５】
指針回動領域には、数値や目盛などが付されている。また、指針６は、無色または有色の透明部材で構成されている。指針６の後端側には、バランスウエイト１１が取付けられている。
【００１６】
文字板２の裏面側には、文字板２および導光板９と所要の間隔を有して回路基板１２が配置されており、文字板２および導光板９は、シェード部材１３を介して回路基板１２の表面側に支持されている。回路基板１２には、指針軸４を駆動する駆動装置１４および光源８が取付けられている。駆動装置１４には、例えば、交差コイル式のムーブメントなどを用いる。また、光源８には、例えば、ＬＥＤなどを用いる。しかし、駆動装置１４および光源８は、上記したものに限るものではない。
【００１７】
この実施の形態のものでは、光漏防止用リング部材１０が文字板２のみに係止可能な係止部２１を有している。光漏防止用リング部材１０は、指針軸孔３の内径と略同一外径の筒状部２２と、筒状部２２の回路基板１２側の端部から外周面側へ張出形成されて文字板２の表面側へ当接係止可能な鍔状部２３を備えている。係止部２１は、筒状部２２の回路基板１２側の端部に形成されて鍔状部２３との間で文字板２を挟持するように構成されている。係止部２１は、光漏防止用リング部材１０の周方向に少なくとも３箇所以上設けられる。そして、筒状部２２の回路基板１２側の端部には、係止部２１間の位置に、指針軸孔３へ摺接嵌合可能な円弧状部２４が形成されている。更に、筒状部２２は、指針キャップ７の文字板２に面した端面と、指針軸４の軸線方向に重複するように、指針６側へ向けて延設されている。
【００１８】
そして、特に、導光板９は、光漏防止用リング部材１０の係止部２１よりも指針軸孔３の内側へ延びる投光部２６を有している。また、投光部２６は係止部２１に対して文字板２の面方向に離隔されている。更に、導光板９は係止部２１から指針軸孔３の径方向に離れた位置に文字板２に対する支持部２７を有している。この支持部２７により、投光部２６が係止部２１と干渉しないように導光板９を保持している。投光部２６は、例えば、指針軸孔３と同心で且つ指針軸孔３よりも小径の孔部の周縁部に形成されている。
【００１９】
次に、この実施の形態の作用について説明する。
【００２０】
駆動装置１４に信号を送って駆動装置１４を駆動すると、指針軸４を介して指針６が回動される。これにより、指針回動領域に付された数値や目盛を指針６に現示させることができる。
【００２１】
また、光源８を発光させると、光源８からの光は、導光板９の内部を導かれ、投光部２６から指針軸孔３へと出射される。指針軸孔３へ出射された光は、指針６の基部５から指針６内へ入射される。以て、指針６が照明される。
【００２２】
この際、指針軸孔３の周縁部に配置された光漏防止用リング部材１０が、導光板９を出射して指針６の基部５へ入射される光の漏れを防止する。
【００２３】
この実施の形態では、光漏防止用リング部材１０が文字板２のみに係止可能な係止部２１を有することにより、導光板９内を導かれる光を光漏防止用リング部材１０の係止部２１が遮ってしまうことがないので、効率良く指針６へ光を導くことができると共に、組付けを容易にすることができる。
【００２４】
特に、導光板９が、光漏防止用リング部材１０の係止部２１よりも指針軸孔３の内側へ延びる投光部２６を有すると共に、投光部２６が係止部２１に対して文字板２の面方向に離隔され、且つ、導光板９が係止部２１から指針軸孔３の径方向に離れた位置に文字板２に対する支持部２７を有する構成としたことにより、上記の効果を発揮することができる。
【００２５】
【発明の効果】
以上説明してきたように、請求項１の発明によれば、光漏防止用リング部材が文字板のみに係止可能な係止部を有することにより、導光板内を導かれる光を光漏防止用リング部材の係止部が遮ってしまうことがないので、効率良く指針へ光を導くことができると共に、組付けを容易にすることができる。
【００２６】
請求項２の発明によれば、導光板が、光漏防止用リング部材の係止部よりも指針軸孔の内側へ延びる投光部を有すると共に、投光部が係止部に対して文字板の面方向に離隔され、且つ、導光板が係止部から指針軸孔の径方向に離れた位置に文字板に対する支持部を有する構成としたことにより、上記請求項１の効果を発揮することができる、という実用上有益な効果を発揮し得る。
【図面の簡単な説明】
【図１】本発明の実施の形態の計器装置の側方断面図である。
【図２】図１の光漏防止用リング部材の斜視図である。
【図３】光漏防止用リング部材にかかり（ａ）は平面図、（ｂ）は底面図、（ｃ）は側面図、（ｄ）はＡ−Ａ断面図である。
【符号の説明】
２    文字板
３    指針軸孔
４    指針軸
５    基部
６    指針
７    指針キャップ
８    光源
９    導光板
１０  光漏防止用リング部材
２１  係止部
２６  投光部
２７  支持部
【図１】
2004226248.tif 000003
【図２】
2004226248.tif 000004
【図３】
2004226248.tif 000005